【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、前記可変表示部を変動表示した後、前記可変表示部の変動表示を停止することで表示結果を導出し、複数の可変表示部の表示結果の組合せに応じて入賞が発生可能であるスロットマシンにおいて、
前記複数の可変表示部の何れにも表示結果が導出されるより前に、前記複数の可変表示部の表示結果の組合せとして、遊技者にとって有利な特別遊技状態への遊技状態の移行を伴う特別組合せと該特別遊技状態への移行とは異なる特典の付与を伴う特定組合せとを含む複数種類の表示結果の組合せの導出を許容するか否かを決定する事前決定手段と、
遊技者の操作により、前記複数の可変表示部における識別情報の変動表示を各々停止させることを指示する停止操作手段と、
前記停止操作手段が操作されたときに、該操作から予め定められた最大遅延時間の範囲内で前記事前決定手段の決定結果に応じて識別情報の変動表示を停止させて、該操作に対応した可変表示部に表示結果を導出させる変動停止制御手段と、
前記特別組合せの導出を許容する旨の決定を該特別組合せが導出されるまで持ち越すとともに、前記特定組合せの導出を許容する旨の決定を該特定組合せが導出されなくても持ち越さない特別決定持越手段とを備え、
前記変動停止制御手段は、前記特別組合せの導出の許容と前記特定組合せの導出の許容とが決定されているときにおいて、前記複数の可変表示部の各々に表示結果を導出させる特定変動停止制御手段を含み、
前記特定変動停止制御手段は、
前記複数の可変表示部のうちで最初に停止される第１可変表示部に前記特別組合せを構成する識別情報と前記特定組合せを構成する識別情報とが導出されている状態で前記複数の可変表示部のうちで２番目に停止される第２可変表示部に対応する停止操作手段が操作されたときに、該操作のタイミングから前記最大遅延時間の範囲内で前記特別組合せを構成する識別情報と前記特定組合せを構成する識別情報の双方が同時に該第２可変表示部において導出可能な位置にあり、前記特別組合せの導出可能性と前記特定組合せの導出可能性の何れも残せるときには、該特別組合せの導出可能性と該特定組合せの導出可能性の何れも残せるように該特別組合せを構成する識別情報と該特定組合せを構成する識別情報の双方を含む表示結果を該第２可変表示部に導出させ、
前記第１可変表示部に前記特別組合せを構成する識別情報と前記特定組合せを構成する識別情報とが導出されている状態で前記第２可変表示部に対応する停止操作手段が操作されたときに、該操作のタイミングから前記最大遅延時間の範囲内で前記特別組合せを構成する識別情報が該第２可変表示部において導出不能な位置で前記特定組合せを構成する識別情報が該第２可変表示部において導出可能な位置にあり、前記特定組合せの導出可能性のみを残せるあるときには、該特定組合せの導出可能性を残せるように該特定組合せを構成する識別情報を含む表示結果を該第２可変表示部に導出させ、
前記第１可変表示部に前記特別組合せを構成する識別情報と前記特定組合せを構成する識別情報とが導出されている状態で前記第２可変表示部に対応する停止操作手段が操作されたときに、該操作のタイミングから前記最大遅延時間の範囲内で前記特別組合せを構成する識別情報も前記特定組合せを構成する識別情報も該第２可変表示部において導出可能な位置にあるが、前記特別組合せの導出可能性と前記特定組合せの導出可能性の何れか一方のみを残せるときには、該特定組合せの導出可能性を残せるように該特定組合せを構成する識別情報を含む表示結果を該第２可変表示部に導出させる
ことを特徴とするスロットマシン。
【手続補正２】
【補正対象書類名】明細書
【補正対象項目名】０００１
【補正方法】変更
【補正の内容】
【０００１】
本発明は、スロットマシンに関する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明は、特別遊技状態の付与を伴う特別組合せの導出を許容する旨が決定されたときに、これを導出するまでに遊技者に生じる損失を軽減することのできるスロットマシンを提供することを目的とする。
【手続補正５】
【補正対象書類名】明細書
【補正対象項目名】００１０
【補正方法】変更
【補正の内容】
【００１０】
上記目的を達成するため、本発明にかかるスロットマシンは、
各々が識別可能な複数種類の識別情報を変動表示可能な可変表示部（リール３Ｌ、３Ｃ、３Ｒ）を複数備え、前記可変表示部を変動表示した後、前記可変表示部の変動表示を停止することで表示結果を導出し、複数の可変表示部の表示結果の組合せに応じて入賞が発生可能であるスロットマシンにおいて、
前記複数の可変表示部の何れにも表示結果が導出されるより前に、前記複数の可変表示部に導出される表示組合せとして、遊技者にとって有利な特別遊技状態（ビッグボーナス、レギュラーボーナス）への遊技状態の移行を伴う特別組合せ（ビッグボーナス（１）、ビッグボーナス（２）、レギュラーボーナス）と該特別遊技状態への移行とは異なる特典の付与を伴う特定組合せ（ベル）とを含む複数種類の表示結果の組合せの導出を許容するか否かを決定する事前決定手段（ステップＳ１０３〜Ｓ１１５）と、
遊技者の操作により、前記複数の可変表示部における識別情報の変動表示を各々停止させることを指示する停止操作手段（停止ボタン１２Ｌ、１２Ｃ、１２Ｒ）と、
前記停止操作手段が操作されたときに、該操作から予め定められた最大遅延時間（１９０ミリ秒）の範囲内で前記事前決定手段の決定結果に応じて識別情報の変動表示を停止させて、該操作に対応した可変表示部に表示結果を導出させる変動停止制御手段（ステップＳ３０２〜Ｓ３０５）と、
前記特別組合せの導出を許容する旨の決定を該特別組合せが導出されるまで持ち越すとともに、前記特定組合せの導出を許容する旨の決定を該特定組合せが導出されなくても持ち越さない特別決定持越手段（ステップＳ５１１）とを備え、
前記変動停止制御手段は、前記特別組合せの導出の許容と前記特定組合せの導出の許容とが決定されているときにおいて、前記複数の可変表示部の各々に表示結果を導出させる特定変動停止制御手段を含み、
前記特定変動停止制御手段は、
前記複数の可変表示部のうちで最初に停止される第１可変表示部に前記特別組合せを構成する識別情報と前記特定組合せを構成する識別情報とが導出されている状態で前記複数の可変表示部のうちで２番目に停止される第２可変表示部に対応する停止操作手段が操作されたときに、該操作のタイミングから前記最大遅延時間の範囲内で前記特別組合せを構成する識別情報と前記特定組合せを構成する識別情報の双方が同時に該第２可変表示部において導出可能な位置にあり、前記特別組合せの導出可能性と前記特定組合せの導出可能性の何れも残せるときには、該特別組合せの導出可能性と該特定組合せの導出可能性の何れも残せるように該特別組合せを構成する識別情報と該特定組合せを構成する識別情報の双方を含む表示結果を該第２可変表示部に導出させ、
前記第１可変表示部に前記特別組合せを構成する識別情報と前記特定組合せを構成する識別情報とが導出されている状態で前記第２可変表示部に対応する停止操作手段が操作されたときに、該操作のタイミングから前記最大遅延時間の範囲内で前記特別組合せを構成する識別情報が該第２可変表示部において導出不能な位置で前記特定組合せを構成する識別情報が該第２可変表示部において導出可能な位置にあり、前記特定組合せの導出可能性のみを残せるときには、該特定組合せの導出可能性を残せるように該特定組合せを構成する識別情報を含む表示結果を該第２可変表示部に導出させ、
前記第１可変表示部に前記特別組合せを構成する識別情報と前記特定組合せを構成する識別情報とが導出されている状態で前記第２可変表示部に対応する停止操作手段が操作されたときに、該操作のタイミングから前記最大遅延時間の範囲内で前記特別組合せを構成する識別情報も前記特定組合せを構成する識別情報も該第２可変表示部において導出可能な位置にあるが、前記特別組合せの導出可能性と前記特定組合せの導出可能性の何れか一方のみを残せるときには、該特定組合せの導出可能性を残せるように該特定組合せを構成する識別情報を含む表示結果を該第２可変表示部に導出させる
ことを特徴とする。
上記スロットマシンにおいて、
前記事前決定手段は、前記特別組合せの導出の許容と前記特定組合せの導出の許容とを同一のゲームにおいて決定する同時決定手段を含み（図４：ビッグボーナス（１）＋スイカ、ビッグボーナス（２）＋ベル）、
前記特別組合せの導出の許容と前記特定組合せの導出の許容とが決定されているときとは、前記同時決定手段により同一のゲームにおいて決定されているときであってもよい。
また、上記スロットマシンにおいて、
前記特定変動停止制御手段は、前記第１可変表示部に対応する停止操作手段が操作されたときに、該操作のタイミングから前記最大遅延時間の範囲内で前記特別組合せを構成する識別情報と前記特定組合せを構成する識別情報の双方が該第１可変表示部において導出可能な位置にあるときには、該特別組合せを構成する識別情報と該特定組合せを構成する識別情報の双方を含む表示結果を該第１可変表示部に導出させてもよい。
【手続補正６】
【補正対象書類名】明細書
【補正対象項目名】００１１
【補正方法】変更
【補正の内容】
【００１１】
上記スロットマシンでは、特別組合せの導出の許容と特定組合せの導出の許容とが決定されている状態おいて、特別組合せを導出することができれば、遊技者は、特別遊技状態への制御による価値の大きな利益を得ることができる。一方、特別組合せを導出できなくても特定組合せは導出できることがある。従って、特別遊技状態の導出を許容する旨が決定されたときに、これを導出できるまでに遊技者に生じる損失を特定組合せの導出によって軽減させることができるようになる。
【手続補正７】
【補正対象書類名】明細書
【補正対象項目名】００１２
【補正方法】変更
【補正の内容】
【００１２】
上記スロットマシンにおいて、
前記特定組合せは、前記賭数の設定に用いることが可能な有価価値（メダル）の付与を伴う小役組合せ（スイカ、ベル、チェリー）、または前記賭数の設定に有価価値を用いることなく次のゲームを開始させることが可能な再遊技の付与を伴う再遊技組合せ（リプレイ）であり、
前記事前決定手段は、決定結果に応じた決定情報（当選フラグ）を決定情報設定手段（ＲＡＭ１１２）に設定するものであって、前記同時決定手段により前記特別組合せの導出の許容と前記特定組合せの導出の許容とが決定されたときには前記特別決定情報と該特定組合せに対応した特定決定情報との両方を前記決定情報設定手段に設定し（図４：ビッグボーナス（１）＋スイカ、ビッグボーナス（２）＋ベル）、
前記スロットマシンは、前記特別組合せの導出を許容する旨の決定を該決定に対応した特別組合せが導出されるまで持ち越す特別決定持越手段（ステップＳ５１１）をさらに備え、
前記特定変動停止制御手段は、
前記特別組合せに対応して定められた特別導出手順で前記停止操作手段が操作されたときに、該特別組合せを導出させる特別導出手段（図５、図６）と、
前記特別導出手順とは異なる手順で前記停止操作手段が操作されたときに、前記特定組合せを導出させる特定導出手段（図５、図６）とを含む
ものとすることができる。
【手続補正８】
【補正対象書類名】明細書
【補正対象項目名】００１３
【補正方法】変更
【補正の内容】
【００１３】
ここでは、特別組合せの導出を許容する旨の（決定情報設定手段に設定された特別決定情報）は、該決定に対応した特別組合せが導出されるまで持ち越されるものとなっている。持ち越された特別決定情報に基づいても、特別組合せを導出させることは可能である。このため、特別組合せの導出の許容とともに決定された特定組合せの導出の許容に基づいて特定組合せが導出され、特別組合せの導出できなかったことによる損失の軽減が図られたとしても、遊技者は、なおも特別組合せの導出を許容する旨の決定による利益を失うことはない。
なお、前記事前決定手段により前記特定組合せの導出を許容する旨が決定され、該決定に基づいて該特定組合せが導出されないときには、前記特定組合せの導出を許容する旨の決定を該特定組合せが導出されるまで持ち越すものとしても、前記特定組合せの導出を許容する旨の決定を次ゲーム以降に持ち越さないものとしてもよい。
【手続補正９】
【補正対象書類名】明細書
【補正対象項目名】００１４
【補正方法】変更
【補正の内容】
【００１４】
また、前記特別導出手順は、前記特別組合せのみを導出させることが可能な第１手順と、前記特別組合せと該特別組合せ以外の表示結果の組合せを所定の割合で導出させることが可能な第２手順とがあってもよい。この場合、前記変動停止制御手段は、前記特別組合せの導出の許容と前記特定組合せの導出の許容とが決定されている状態において、前記第２手順で前記停止操作手段が操作されたときには、前記特別組合せを導出しないときには前記特別組合せ以外の表示結果の組合せとして前記特定組合せを導出させるものとすることができる。
【手続補正１０】
【補正対象書類名】明細書
【補正対象項目名】００１５
【補正方法】変更
【補正の内容】
【００１５】
また、前記変動停止制御手段は、前記停止操作手段が操作されるよりも前に前記決定情報設定手段に設定されている決定情報に基づいて前記停止操作手段の操作時に表示されている識別情報と停止させる識別情報との関係を登録したテーブルを予め選択し、前記停止操作手段が操作されたときに該テーブルを参照して識別情報の変動表示を停止させるものとしてもよい。前記特別組合せの導出の許容と前記特定組合せの導出の許容とが決定されているときに選択されるテーブルは、停止操作手段が操作された時点で表示されている識別情報から最大遅延時間の範囲内で停止可能な識別情報のうちで特別組合せを導出できる識別情報があれば、これを導出させる制御内容が登録され、特別組合せを導出できる識別情報がないが特定組合せを導出できる識別情報があれば、これを導出させる制御内容が登録されたものとすることができる。前記特別組合せの導出の許容と前記特定組合せの導出の許容とが決定されている状態において選択されたテーブルに基づいて特別組合せを導出させるよう識別情報の変動表示を停止させる場合の変動停止制御手段が特別導出手段であり、特定組合せを導出させるよう識別情報の変動表示を停止させる場合の変動停止制御手段が特定導出手段である。
【手続補正１１】
【補正対象書類名】明細書
【補正対象項目名】００１６
【補正方法】変更
【補正の内容】
【００１６】
また、前記変動停止制御手段は、前記停止操作手段が操作されたときに、前記決定情報設定手段に設定されている決定情報を判断し、該決定情報の判断結果に応じて当該時点で表示されている識別情報から最大遅延時間の範囲内で停止可能な識別情報を選択し、該選択した識別情報で変動表示を停止させるものとしてもよい。該変動停止制御手段は、決定情報を判断するため、前記決定情報設定手段に設定されている決定情報を読み出す手段を備えるものとすることができる。前記特別組合せの導出の許容と前記特定組合せの導出の許容とが決定されているときには、停止操作手段が操作された時点で表示されている識別情報から最大遅延時間の範囲内で停止可能な識別情報のうちで特別組合せを導出できる識別情報があれば、これを導出させて変動表示を停止させ、特別組合せを導出できる識別情報がないが特定組合せを導出できる識別情報があれば、これを導出させて変動表示を停止させるものとすることができる。前記特別決定情報と特定決定情報とが設定されている状態において特別組合せを導出できる識別情報を導出させるように変動表示を停止させる場合の変動停止制御手段が特別導出手段であり、特定組合せを導出できる識別情報を導出させるように変動表示を停止させる場合の変動停止制御手段が特定導出手段である。
【手続補正１２】
【補正対象書類名】明細書
【補正対象項目名】００１７
【補正方法】変更
【補正の内容】
【００１７】
また、前記複数の可変表示部の表示結果の組合せが前記小役組合せとなり、有価価値が遊技者に付与される場合には、該有価価値の付与の終了を以て１ゲームの終了とするものとしてもよい。前記小役組合せが導出されたときに付与する有価価値の数は、前記特別組合せが導出されたゲームと該特別組合せに基づいて移行された特別遊技状態において遊技者が獲得できる有価価値の数の期待値よりも小さいものとしてもよい。ここで、遊技者が獲得する有価価値の数とは、付与された有価価値の数（払い出し数）から賭数の設定に用いた有価価値の数を減算した数、すなわち純増数を意味するものである。
【手続補正１３】
【補正対象書類名】明細書
【補正対象項目名】００１８
【補正方法】変更
【補正の内容】
【００１８】
また、通常遊技状態とは、特定組合せの導出の許容と特別組合せの導出の許容とを同一のゲームにおいて決定することができる遊技状態であって、且つ特別組合せの導出により、特定組合せの導出により遊技者の獲得できる有価価値の数よりも遊技者の獲得できる有価価値の数の期待値が大きな遊技状態に制御することのできる遊技状態を意味する。例えば、通常遊技状態、ＲＴ、ボーナス（さらに、複数種類あってもよい）の３つの遊技状態があり、通常遊技状態とＲＴでは特別組合せの導出の許容と特定組合せの導出の許容とを同一のゲームにおいて決定することが可能である場合には、通常遊技状態とＲＴが通常遊技状態として、ボーナスが特別遊技状態として適用されるものとなる。
【手続補正１４】
【補正対象書類名】明細書
【補正対象項目名】００１９
【補正方法】変更
【補正の内容】
【００１９】
上記スロットマシンにおいて、
前記特定導出手段は、前記特別導出手順とは異なる手順として前記特定組合せに対応して定められた特定導出手順で前記停止操作手段が操作されたときに、該特定組合せを導出させるものとすることができる（図５、図６（ｂ））。この場合において、
前記変動停止制御手段は、前記特別組合せの導出の許容と前記特定組合せの導出の許容とが決定されている状態において、前記特別導出手順とも前記特定導出手順とも異なる手順で前記停止操作手段が操作されたときに、遊技者に利益が付与されることのない非利益付与組合せ（ハズレ）を導出させる非利益付与導出手段をさらに含むものとすることができる（図５）。
【手続補正１５】
【補正対象書類名】明細書
【補正対象項目名】００２０
【補正方法】変更
【補正の内容】
【００２０】
ここでは、遊技者が停止操作手段を操作した手順が特別導出手順とも特定導出手順とも異なる手順であれば、非利益付与組合せが導出されてしまう。すなわち、特別組合せの導出の許容と特定組合せの導出の許容とが決定されていても特別組合せも特定組合せも導出されずに非利益付与組合せが導出されるので、遊技者が何らの利益も得られないこととなってしまう。このため、遊技者が同時決定手段の決定があったゲームにおいて何らかの利益を得るためには、少なくとも特別導出手順とも特定導出手順とも異なる手順を避ける必要があるので結果として遊技者が遊技に集中せざるを得ないようになり、さらに遊技の興趣を向上させることができる。
【手続補正１６】
【補正対象書類名】明細書
【補正対象項目名】００２１
【補正方法】変更
【補正の内容】
【００２１】
なお、非利益付与組合せは、少なくとも前記特別組合せとも前記特定組合せとは異なる組合せである。特別組合せが導出されたときには、特別遊技状態への制御という利益が遊技者に付与され、特定組合せが導出されたときには、有価価値の付与という利益が遊技者に付与されるからである。表示結果の組合せとして、前記再遊技組合せや、前記特別遊技状態以外であって通常遊技状態よりも遊技者に付与される有価価値の数の期待値が大きくなる遊技状態への移行を伴う遊技状態も、非利益付与組合せとはならない。遊技者に付与される有価価値の数の期待値を直接変化させることのない組合せは、遊技者に何らかの情報が与えられるものであっても非利益付与組合せに含めることができる。
【手続補正１７】
【補正対象書類名】明細書
【補正対象項目名】００２２
【補正方法】変更
【補正の内容】
【００２２】
上記スロットマシンにおいて、
前記停止操作手段を操作する手順の違いは、該停止操作手段を操作するタイミングの違いによって定められるものとすることができる。この場合において、
前記特定導出手段は、前記特別導出手順とは異なる手順として前記特定組合せに対応して定められた特定導出手順で前記停止操作手段が操作されたときに、該特定組合せを導出させるものとすることができる（図５、図６（ｂ））。ここで、
前記特別導出手順は、前記停止操作手段の操作から前記最大遅延時間の範囲内で前記特別組合せを導出できるタイミングで前記停止操作手段を操作する手順であってもよく、
前記特定導出手順は、前記停止操作手段の操作から前記最大遅延時間の範囲内で前記特定組合せを導出できないタイミングであって該最大遅延時間の範囲内で前記特定組合せを導出できるタイミングで前記停止操作手段を操作する手順であってもよい。
【手続補正１８】
【補正対象書類名】明細書
【補正対象項目名】００２３
【補正方法】変更
【補正の内容】
【００２３】
この場合、遊技者が停止操作手段を操作したタイミングが特別導出手順として定められたタイミング、すなわち該停止操作手段の操作から前記最大遅延時間の範囲内で前記特別組合せを導出できるタイミングとなっていなければ、該特別組合せを導出できない。このため、特定組合せの導出に対する技術介入性が高くなる。また、遊技者が停止操作手段を操作したタイミングが特定導出手順として定められたタイミング、すなわち該停止操作手段の操作から前記最大遅延時間の範囲内で前記特定組合せを導出できるタイミングであれば、特定組合せを導出することができる。このため、特定組合せの導出に対する技術介入性も高くなる。
【手続補正１９】
【補正対象書類名】明細書
【補正対象項目名】００２４
【補正方法】変更
【補正の内容】
【００２４】
上記スロットマシンにおいて、
前記変動停止制御手段は、前記同時決定手段により前記特別組合せの導出の許容と前記特定組合せの導出の許容とが決定されている状態において、前記特別組合せと前記特定組合せの両方に対応して定められた特別特定導出手順で前記停止操作手段が操作されたときに、該特定組合せよりも該特別組合せを高い頻度で導出させる特別高頻度導出手段（図５）をさらに含むものとすることもできる。
【手続補正２０】
【補正対象書類名】明細書
【補正対象項目名】００２５
【補正方法】変更
【補正の内容】
【００２５】
ここで、予め選択したテーブルを参照して識別情報の変動表示を停止させる場合には、特別特定導出手順で停止操作手段が操作されたときに特別組合せを導出させる制御内容が登録されたテーブルを、該特別特定導出手順で停止操作手段が操作されたときに特定組合せを導出させる制御内容が登録されたテーブルよりも高い頻度で選択するものとすればよい。停止操作手段が操作されたときに決定情報の判断結果に応じて変動表示を停止させる場合には、特別特定導出手順で停止操作手段が操作されたときに、特別組合せを導出できる識別情報を特定組合せを導出できる識別情報よりも高い頻度で選択するものとすればよい。
【手続補正２１】
【補正対象書類名】明細書
【補正対象項目名】００２６
【補正方法】変更
【補正の内容】
【００２６】
このように前記同時決定手段により特別組合せの導出の許容と特定組合せの導出の許容とが決定されている場合において、特別組合せの導出頻度が高くなるように変動表示の停止を制御することにより、同時当選したときに特別特定導出手順で停止操作手段を操作すれば高い頻度で特別組合せを導出させることができるので、特別組合せを導出可能となるように遊技者が停止操作手段を操作しているのに特別組合せが導出されないということが少なくなり、遊技者に不満を感じさせるということが少なくなる。
【手続補正２２】
【補正対象書類名】明細書
【補正対象項目名】００２７
【補正方法】変更
【補正の内容】
【００２７】
ここで、前記特別高頻度導出手段は、前記同時決定手段により前記特別組合せの導出の許容と前記特定組合せの導出の許容とが決定されている状態で、前記特別特定導出手順で前記停止操作手段が操作されたときには、前記特別組合せを必ず導出させるものとしてもよい（図７）。
【手続補正２３】
【補正対象書類名】明細書
【補正対象項目名】００２８
【補正方法】変更
【補正の内容】
【００２８】
この場合には、同時当選したときに特別特定導出手順で停止操作手段を操作すれば必ず特別組合せを導出させることができるので、特別組合せを導出可能となるように遊技者が停止操作手段を操作しているのに特別組合せが導出されないということがなくなり、遊技者に不満を感じさせるということがなくなる。
【手続補正２４】
【補正対象書類名】明細書
【補正対象項目名】００２９
【補正方法】変更
【補正の内容】
【００２９】
一方、前記特別高頻度導出手段は、前記同時決定手段により前記特別組合せの導出の許容と前記特定組合せの導出の許容とが決定されている状態で、前記特別特定導出手順で停止操作手段が操作されたときには、前記特別組合せを５０％よりも高い所定の頻度で導出させ、該特別組合せが導出されないときには前記特定組合せを必ず導出させるものとしてもよい。
【手続補正２５】
【補正対象書類名】明細書
【補正対象項目名】００３０
【補正方法】変更
【補正の内容】
【００３０】
なお、前記特別特定導出手順は、前記停止操作手段の操作から前記最大遅延時間の範囲内で前記特別組合せも前記特定組合せも導出できるタイミングで前記停止操作手段を操作する手順とすることができる。
【手続補正２６】
【補正対象書類名】明細書
【補正対象項目名】００３１
【補正方法】変更
【補正の内容】
【００３１】
上記スロットマシンにおいて、
前記同時決定手段により前記特別組合せの導出の許容と前記特定組合せの導出の許容とが決定されている状態で前記特定組合せが前記複数の可変表示部の表示結果の組合せとして導出されたときに、ゲームを開始させるために設定することが必要な賭数（３枚）に対応した数の有価価値よりも多くの数の有価価値（８枚または１２枚）が付与されるものとすることができる。
【手続補正２７】
【補正対象書類名】明細書
【補正対象項目名】００３２
【補正方法】変更
【補正の内容】
【００３２】
特別組合せの導出を許容する旨の決定は、特別組合せの導出を許容する旨が決定されたゲームで特別組合せを導出できなくても、次ゲーム以降に持ち越すことができる。ここで、特定組合せの導出によって付与される有価価値の数が賭け数の数よりも多ければ、特定組合せの導出によっても遊技者にとってはプラスの利益が得られ、ここでプラスの利益を得たからといって特別組合せを導出したときの利益も失うことがない。このように特定組合せ、特別組合せの順番で組合せを導出させるものとするのが遊技者にとって長期的に最も多くの利益が得られるものとすると、その分だけ技術介入性も高まって、遊技の興趣を向上させることができるようになる。
【手続補正２８】
【補正対象書類名】明細書
【補正対象項目名】００３３
【補正方法】変更
【補正の内容】
【００３３】
上記スロットマシンは、
前記同時決定手段により前記特別組合せの導出の許容と前記特定組合せの導出の許容とが決定されているときに（図７）、所定の特別演出（ボーナス確定、ボーナスかも？）を演出手段（液晶表示器４）に行わせる特別演出制御手段（ステップＳ６１１）をさらに備えるものとすることができる。
【手続補正２９】
【補正対象書類名】明細書
【補正対象項目名】００３４
【補正方法】変更
【補正の内容】
【００３４】
この場合には、特別演出の実行により特別組合せの導出と特定組合せの導出の両方が許容されていることが確実に分かるので、遊技者は、高い利益の得られる特別組合せを迅速に導出させるよう遊技を進めることが可能になる。ここで、特定組合せの導出で賭数に対応した有価価値よりも多くの数の有価価値が付与されるものとした場合には、遊技者は、長期的に大きな利益の得られる特定組合せを狙って遊技を進めることも可能になる。
【手続補正３０】
【補正対象書類名】明細書
【補正対象項目名】００３５
【補正方法】変更
【補正の内容】
【００３５】
ここでは、前記事前決定手段は、前記特別組合せの導出を許容する特別単一決定手段をさらに含むものであってもよい。この場合、
前記特別演出制御手段は、前記特別単一決定手段により前記特定組合せの導出の許容のみが決定されているときにも、所定の割合で前記特別演出を演出手段に行わせるものとすることができる。
【手続補正３１】
【補正対象書類名】明細書
【補正対象項目名】００３６
【補正方法】変更
【補正の内容】
【００３６】
この場合、特別演出が行われたときに、特別組合せの導出を許容する旨のみが決定されている場合でも、遊技者は、高い利益の得られる特別組合せを迅速に導出させるよう遊技を進めることが可能になる。ここで、特定組合せの導出で賭数に対応した有価価値よりも多くの数の有価価値が付与されるものとした場合には、特別組合せの迅速な導出を狙って遊技を行うか、先に特定組合せを導出できるかどうかにチャレンジしてから特別組合せの導出を狙うかといった遊技の進行に関する遊技者の選択肢が増えることとなり、さらに遊技の興趣を向上させることができる。
【手続補正３２】
【補正対象書類名】明細書
【補正対象項目名】００３７
【補正方法】変更
【補正の内容】
【００３７】
また、ここでは、前記事前決定手段は、前記特定組合せの導出を許容する特定単一決定手段（図４：抽選対象役としてスイカ、ベル）をさらに含むものであってもよい。この場合のスロットマシンでは、
前記同時決定手段または前記特定単一決定手段により少なくとも前記特定組合せの導出の許容が設定されているときに（図７）、少なくとも前記特定組合せの導出を許容する旨が決定されていることを遊技者が認識可能な所定の特定演出（特殊スイカ、スイカ、特殊ベル、ベル）を演出手段（液晶表示器４）に行わせる特定演出制御手段（ステップＳ６１１）をさらに備えるものとすることができる。
【手続補正３３】
【補正対象書類名】明細書
【補正対象項目名】００３８
【補正方法】変更
【補正の内容】
【００３８】
この場合、特定演出が行われたときには、単に特定組合せの導出を許容する旨が決定されていることが分かるのみではなく、特別組合せの導出を許容する旨が決定されていることも期待できるようになるので、遊技者の期待感を高めさせて、遊技の興趣を向上させることができる。
【手続補正３４】
【補正対象書類名】明細書
【補正対象項目名】００３９
【補正方法】変更
【補正の内容】
【００３９】
さらに、ここでは、前記特定演出は、複数種類の演出態様（特殊スイカとスイカ、特殊ベルとベル）があってもよい。この場合、
前記特定演出制御手段は、前記同時決定手段により前記特別組合せの導出の許容と前記特定組合せの導出の許容とが決定されているときと前記特定単一決定手段により前記特定組合せの導出の許容のみが決定されているときとで異なる割合で、前記複数種類の演出態様の中からいずれかの種類の演出態様を選択し（図７）、該選択した演出態様の特定演出を前記演出手段に行わせるものとすることができる。
【手続補正３５】
【補正対象書類名】明細書
【補正対象項目名】００４０
【補正方法】変更
【補正の内容】
【００４０】
この場合、特定演出が行われた場合であっても、その態様によって特別組合せの導出の許容に対する期待度も異なるものとなるので、さらに遊技の興趣を向上させることができる。また、行われた特定演出の態様によっては、特定組合せの確実な導出を狙って遊技を行うか、より多くの利益が得られる特別組合せを導出できるかどうかにチャレンジするかといった遊技の進行に関する遊技者の選択肢が増えることとなり、さらに遊技の興趣を向上させることができる。
【手続補正３６】
【補正対象書類名】明細書
【補正対象項目名】００４１
【補正方法】変更
【補正の内容】
【００４１】
なお、前記特定演出制御手段は、前記同時決定手段により前記特別組合せの導出の許容と前記特定組合せの導出の許容とが決定されているときにのみ、前記複数種類の演出態様のうちで特定の種類の演出態様（特殊スイカ、特殊ベル）を選択し、該特定の種類の演出態様の特定演出を前記演出手段に行わせるものとしてもよい。
【手続補正３７】
【補正対象書類名】明細書
【補正対象項目名】００４２
【補正方法】変更
【補正の内容】
【００４２】
ここで、前記特定演出制御手段は、前記同時決定手段により前記特別組合せの導出の許容と前記特定組合せの導出の許容とが決定されているときと前記特定単一決定手段により前記特定組合せの導出の許容のみが決定されているときとで異なる割合で、前記特定演出を前記演出手段に行わせるものであってもよい（図７）。
【手続補正３８】
【補正対象書類名】明細書
【補正対象項目名】００４３
【補正方法】変更
【補正の内容】
【００４３】
この場合、仮に複数の可変表示部の表示結果の組合せとして同じ特定組合せが導出されたとしても、特定演出が行われていたかどうかによって特別組合せの導出の許容に対する期待度も異なるので、さらに遊技の興趣を向上させることができる。
【手続補正３９】
【補正対象書類名】明細書
【補正対象項目名】００４４
【補正方法】変更
【補正の内容】
【００４４】
上記スロットマシンにおいて、
前記複数の可変表示部を構成する可変表示装置（可変表示装置２）には、複数の有効ラインが設定され、該複数の有効ラインの各々に停止した識別情報の組合せによって前記複数の可変表示部の表示結果の組合せが定められるものであってもよい。この場合、
前記事前決定手段は、前記特定組合せの導出を許容する旨のみを決定する特定単一決定手段（図４：抽選対象役としてスイカ、ベル）をさらに含み、
前記特定導出手段は、
前記同時決定手段により前記特別組合せの導出の許容と前記特定組合せの導出の許容とが決定されている状態において、所定の割合で前記複数の有効ラインのうちの特定の有効ライン（横方向の有効ライン）に前記特定組合せを導出させ、
前記特定単一決定手段により前記特定組合せの導出の許容のみが決定されている状態において、前記所定の割合とは異なる割合で前記特定の有効ラインに前記特定組合せを導出させるものとすることができる。
【手続補正４０】
【補正対象書類名】明細書
【補正対象項目名】００４５
【補正方法】変更
【補正の内容】
【００４５】
この場合、複数の可変表示部の表示結果の組合せとして特定組合せが導出され、当該ゲームで得られた利益が同じであったとしても、可変表示装置のどの有効ラインに特定組合せが導出されたかによって特別組合せの導出の許容に対する期待度も異なるので、特定組合せの導出される有効ラインにも遊技者の関心が集まることとなり、さらに遊技の興趣を向上させることができる。
【手続補正４１】
【補正対象書類名】明細書
【補正対象項目名】００４６
【補正方法】変更
【補正の内容】
【００４６】
なお、前記特定導出手段は、前記特別組合せの導出の許容と前記特定組合せの導出の許容とが決定されているときにのみ、前記特定の有効ラインに前記特定組合せを導出させるものとしてもよい。また、前記特定組合せの導出の許容のみが決定されているときには、必ず、前記特定の有効ライン以外の有効ラインに前記特定組合せを導出させるものとしてもよい。
【手続補正４２】
【補正対象書類名】明細書
【補正対象項目名】００４７
【補正方法】変更
【補正の内容】
【００４７】
上記スロットマシンにおいて、
前記事前決定手段が、前記特定組合せの導出を許容する旨のみを決定する特定単一決定手段をさらに含む場合には、前記特別決定持越手段により前記特別組合せの導出を許容する旨の決定が持ち越された状態における前記特定単一決定手段の決定に基づいて、前記特別組合せの導出の許容と前記特定組合せの導出の許容とが決定されている場合がある。この場合において、
前記変動停止制御手段は、前記同時決定手段により前記特別組合せの導出の許容と前記特定組合せの導出の許容とが決定されている場合と同様に識別情報の変動表示を停止させるものとしても、前記同時決定手段により前記特別組合せの導出の許容と前記特定組合せの導出の許容とが決定されている場合とは異なる制御で識別情報の変動表示を停止させるものとしてもよい。